(57)【要約】【課題】専用のメールソフトの用意や特別な設定を行わなくても、メーリングリストやグループという垣根を越えた被配信端末に対して関心のあるメールを配信できる電子メール配信システムを提供することを目的とする。【解決手段】ネットワークを介して複数の端末と接続されている電子メールサーバに、被配信端末の電子メールアドレスと関心のあるキーワードを登録しておき、送信端末の電子メールの内容から抽出したキーワードと合致したときに、キーワードに対応付けられている被配信端末の電子メールアドレスに電子メールを配信することにより、専用のメールソフトの用意や特別な設定を行わなくても、メーリングリストやグループという垣根を越えた被配信端末に対してメールを配信できるようにした。【選択図】図１
2007173978.tif 000002
【特許請求の範囲】
【請求項１】
電子メールの配信及び受信処理を行うメールサーバと、当該メールサーバから電子メールの配信を受け、かつ、その前提として電子メールにより必要情報を当該メールサーバに送信する多数の被配信端末と、当該メールサーバと電子メールを送受信し、電子メールの配信を依頼する多数の送信端末を備え、これらをそれぞれネットワークを介して接続する電子メール配信システムにおいて、
前記メールサーバは、前記被配信端末からの電子メールの受信により当該被配信端末の電子メールアドレス及び当該被配信端末の関心のあるキーワードを登録する被配信情報登録部と、前記被配信情報登録部に登録された前記電子メールアドレスと前記キーワードを対応付けして記憶するテーブル部と、前記送信端末から電子メールを受信した当該電子メールの本文からキーワードを抽出するキーワード抽出部と、前記キーワード抽出部で抽出するキーワードを入力として前記テーブル部が記憶している前記キーワードに対応付けした前記被配信端末の電子メールアドレスを検索するアドレス検索部と、前記アドレス検索部で検索して得られる配信先電子メールアドレスを前記送信端末から受信した電子メールの宛先として変換、設定するアドレス変換部と、前記アドレス変換部により得られる配信先電子メールアドレスに対し電子メールを配信するメール送信部とを備え、前記送信端末からの電子メールを前記被配信端末に配信することを特徴とする電子メール配信システム。
【請求項２】
請求項1の電子メール配信システムにおいて、前記メール送信部は、前記アドレス変換部により得られる配信先電子メールアドレスに対し電子メールを配信し、かつ、前記配信先電子メールアドレスに対し電子メールを配信した合計数を送信端末に送信することを特徴とする電子メール配信システム。
【請求項３】
請求項１又は２記載の電子メール配信システムにおいて、前記キーワード抽出部は、前記送信端末から電子メールを受信した当該電子メールの本文及び当該電子メールのタイトルからキーワードを抽出することを特徴とする電子メール配信システム。
【請求項４】
電子メールの配信を依頼する複数の送信端末及び電子メールの配信を受ける複数の被配信端末とネットワークを介して接続される電子メールの配信及び受信処理を行うメールサーバにおいて、
前記メールサーバは、前記被配信端末からの電子メールの受信により当該被配信端末の電子メールアドレス及び当該被配信端末の関心のあるキーワードを登録する被配信情報登録部と、前記被配信情報登録部に登録された前記電子メールアドレスと前記キーワードを対応付けして記憶するテーブル部と、前記送信端末から電子メールを受信した当該電子メールの本文からキーワードを抽出するキーワード抽出部と、前記キーワード抽出部で抽出するキーワードを入力として前記テーブル部が記憶している前記キーワードに対応付けした前記被配信端末の電子メールアドレスを検索するアドレス検索部と、前記アドレス検索部で検索して得られる配信先電子メールアドレスを前記送信端末から受信した電子メールの宛先として変換、設定するアドレス変換部と、前記アドレス変換部により得られる配信先電子メールアドレスに対し電子メールを配信するメール送信部とを備えることを特徴とするメールサーバ。
【請求項５】
請求項４記載のメールサーバにおいて、前記メール送信部は、前記アドレス変換部により得られる配信先電子メールアドレスに対し電子メールを配信し、かつ、前記配信先電子メールアドレスに対し電子メールを配信した合計数を送信端末に送信することを特徴とするメールサーバ。
【請求項６】
請求項４又は５記載のメールサーバにおいて、前記キーワード抽出部は、前記送信端末から電子メールを受信した当該電子メールの本文及び当該電子メールのタイトルからキーワードを抽出することを特徴とするメールサーバ。
【発明の詳細な説明】
【技術分野】
【０００１】
本発明は、電子メールの配信（送信）及び受信処理を行うメールサーバと当該メールサーバから電子メールの配信を受け、かつ、その前提として電子メールにより必要情報を当該メールサーバに送信する多数の被配信端末をネットワークを介して接続する電子メール配信システムにおいて、特に電子メールの本文から抽出するキーワードを用いることにより、キーワードに対応付けされた配信先電子メールアドレスの被配信端末に対して電子メールを配信することを特徴とする電子メール配信システム及びそのメールサーバに関する。
【背景技術】
【０００２】
従来、キーワードに対応付けされた配信先電子メールアドレスに対して電子メールを配信するシステムとしては、特開２００３−２８１０４２号公報に掲載されているメールシステムが知られている。このシステムによれば、メールサーバは、複数の配信先電子メールアドレスを包含するグループと当該グループの特色を示すキーワード（例：株、Ａ証券）を対応付けて記憶しておく。利用者（送信端末）は、電子メールの宛先欄に前記キーワードを入力して、メールサーバに対して電子メールを送信することで、電子メールを受信したメールサーバでは、キーワードに対応するグループを検索し、検索されたグループに包含されている配信先電子メールアドレスに対して電子メールの配信をしている。そのため、利用者は、メールサーバによってあらかじめ用意されているグループという垣根を越えた被配信端末に対して電子メールの配信をすることができないため、情報共有や広告効果を低下させることとなる。また、このシステムでは、利用者（送信端末）は、電子メールの宛先欄にキーワードを入力する必要があるため、現在流通している通常のメールソフトでは対応することができず、専用のメールソフトの用意と事前設定を行う必要があり、利用者にとっては経済的、時間的に負担となっていた。
【０００３】
【特許文献１】特開２００３−２８１０４２号公報
【発明の開示】
【発明が解決しようとする課題】
【０００４】
本発明は、上記問題点を解決し、メーリングリストやグループという垣根を越えた被配信端末に対して電子メールを配信する電子メール配信システム及びそのメールサーバを提供することを目的とする。
【課題を解決するための手段】
【０００５】
上記の課題を解決するために、本願の請求項１記載の発明は、電子メールの配信及び受信処理を行うメールサーバと、当該メールサーバから電子メールの配信を受け、かつ、その前提として電子メールにより必要情報を当該メールサーバに送信する多数の被配信端末（受信端末）と、当該メールサーバと電子メールを送受信し、電子メールの配信を依頼する多数の送信端末を備え、これらをそれぞれネットワークを介して接続する電子メール配信システムにおいて、
前記メールサーバは、前記被配信端末からの電子メールの受信により当該被配信端末の電子メールアドレス及び当該被配信端末の関心のあるキーワードを登録する被配信情報登録部と、前記被配信情報登録部に登録された前記電子メールアドレスと前記キーワードを対応付けして記憶するテーブル部と、前記送信端末から電子メールを受信した当該電子メールの本文からキーワードを抽出するキーワード抽出部と、前記キーワード抽出部で抽出するキーワードを入力として前記テーブル部が記憶している前記キーワードに対応付けした前記被配信端末の電子メールアドレスを検索するアドレス検索部と、前記アドレス検索部で検索して得られる配信先電子メールアドレスを前記送信端末から受信した電子メールの宛先として変換、設定するアドレス変換部と、前記アドレス変換部により得られる配信先電子メールアドレスに対し電子メールを配信するメール送信部とを備え、前記送信端末からの電子メールを前記被配信端末に配信することを特徴とする。
【０００６】
本願の請求項２記載の発明は、請求項1の電子メール配信システムにおいて、前記メール送信部は、前記アドレス変換部により得られる配信先電子メールアドレスに対し電子メールを配信し、かつ、前記配信先電子メールアドレスに対し電子メールを配信した合計数を送信端末に送信することを特徴とする電子メール配信システム。
【０００７】
本願の請求項３記載の発明は、請求項１又は２記載の電子メール配信システムにおいて、前記キーワード抽出部は、前記送信端末から電子メールを受信した当該電子メールの本文及び当該電子メールのタイトルからキーワードを抽出することを特徴とする。
【０００８】
本願の請求項４記載の発明は、電子メールの配信を依頼する複数の送信端末及び電子メールの配信を受ける複数の被配信端末とネットワークを介して接続される電子メールの配信及び受信処理を行うメールサーバにおいて、
前記メールサーバは、前記被配信端末からの電子メールの受信により当該被配信端末の電子メールアドレス及び当該被配信端末の関心のあるキーワードを登録する被配信情報登録部と、前記被配信情報登録部に登録された前記電子メールアドレスと前記キーワードを対応付けして記憶するテーブル部と、前記送信端末から電子メールを受信した当該電子メールの本文からキーワードを抽出するキーワード抽出部と、前記キーワード抽出部で抽出するキーワードを入力として前記テーブル部が記憶している前記キーワードに対応付けした前記被配信端末の電子メールアドレスを検索するアドレス検索部と、前記アドレス検索部で検索して得られる配信先電子メールアドレスを前記送信端末から受信した電子メールの宛先として変換、設定するアドレス変換部と、前記アドレス変換部により得られる配信先電子メールアドレスに対し電子メールを配信するメール送信部とを備えることを特徴とする。
【０００９】
本願の請求項５記載の発明は、請求項４記載のメールサーバにおいて、前記メール送信部は、前記アドレス変換部により得られる配信先電子メールアドレスに対し電子メールを配信し、かつ、前記配信先電子メールアドレスに対し電子メールを配信した合計数を送信端末に送信することを特徴とする。
【００１０】
本願の請求項６記載の発明は、請求項４又は５記載のメールサーバにおいて、前記キーワード抽出部は、前記送信端末から電子メールを受信した当該電子メールの本文及び当該電子メールのタイトルからキーワードを抽出することを特徴とする。
【発明の効果】
【００１１】
本発明によれば、メーリングリストやグループという垣根を越えた送信端末に対して関心を持つ電子メールを配信することができる。また、本発明によれば、キーワードの書込みが、電子メールの宛先欄でなく、電子メールの本文、又は電子メールの本文及び電子メールのタイトルにできるので、専用のメールソフトを必要とせず、特別な設定も行わなくても電子メールを配信することができる。
【発明を実施するための最良の形態】
【００１２】
以下、本発明の実施の形態を図面に基づいて説明する。
図１は、本発明の一実施例である電子メール配信システム及びそのメールサーバの全体の構成を示すブロック図である。
図1において、１００はパーソナルコンピュータ（以下、ＰＣという。）やモバイル端末等から成り、電子メールサーバから電子メールの配信(受信)を受けたり、電子メールサーバに対し電子メールを送信する被配信端末で、複数個を予定している。
１０１は、被配信端末１００の表示部で、電子メールサーバから電子メールの配信を受け表示し、この電子メールサーバから電子メールの配信を受ける前提として、配信を希望する必要情報のキーワードを電子メールサーバに登録するための画面を表示する。
１０２は、被配信端末１００のキーボードやマウス等の入力装置で、画面表示部の画面にしたがってキーワードを入力する。
【００１３】
図１において、１１０は、ＰＣやモバイル端末等から成り、電子メールサーバと電子メールの送受信をする送信端末で、複数個を予定している。
１１１は、送信端末１１０の表示部で、電子メールサーバから配信を依頼する電子メールを電子メールサーバに登録するための画面を表示したり、電子メールサーバから電子メールの配信を受け表示する。
１１２は、送信端末１１０のキーボードやマウス等の入力装置である。
図１において、１２０は、インターネット等のネットワークである。
【００１４】
図１において、１３０は、電子メールの送信（配信）及び受信処理を行う電子メールサーバ（以下、メールサーバという。)である。
図１において、１３１は被配信端末１００からの通信を制御するWebサーバ等から成る通信制御部、１３２はテーブル部にキーワードを登録、変更又は削除する被配信情報登録部、１３３はキーワードと配信先電子メールアドレスを対応付けて記憶するデータベース等のテーブル部、１３４は電子メールを受信するPOP3サーバ等の電子メール受信部、１３５は電子メールの本文及び当該電子メールのタイトルに埋め込まれたキーワードを抽出するキーワード抽出部、１３６はキーワードに対応付けした配信先電子メールアドレスを検索するアドレス検索部、１３７は検索して得られた配信先電子メールアドレスを電子メールの宛先に設定するアドレス変換部、１３８はＳＭＴＰサーバ等の電子メール送信部である。
【００１５】
図２は、被配信端末１００の画面表示部１０１に表示するキーワード登録画面の構成例を示したものである。
図２において、２００はメールサーバ１３０から電子メールの配信を受ける（被配信）電子メールアドレスを設定する電子メールアドレス設定領域、２０１は被配信(受信)を希望する関心のある電子メールに関する複数個の任意のキーワードを設定するキーワード設定領域、２０２は設定内容の登録をメールサーバ１３０に要求する登録ボタンを示す。
【００１６】
図３は、本発明によるキーワードの登録（変更又は削除の登録を含む）の処理フローの例を示したものである。
図３において、３００は被配信端末１００のアカウント情報送信処理ブロック、３０１はメールサーバ１３０のアカウント情報受信処理ブロック、３０２はユーザ認証処理ブロック、３０３はエラー画面作成処理ブロック、３０４はエラー画面送信処理ブロック、３０５は被配信端末１００のエラー画面受信処理ブロック、３０６はエラー画面表示処理ブロック、３０７はメールサーバ１３０のテーブル部１３３検索処理ブロック、３０８はキーワード登録画面作成処理ブロック、３０９はキーワード登録画面送信処理ブロック、３１０は被配信端末１００のキーワード登録画面受信処理ブロック、３１１はキーワード登録画面表示処理ブロック、３１２はキーワード登録、変更又は削除ブロック、３１３は登録ボタン選択処理ブロック、３１４はメールサーバ１３０の登録ボタン選択受信処理ブロック、３１５はテーブル部登録処理ブロック、３１６は登録完了画面作成処理ブロック、３１７は登録完了画面送信処理ブロック、３１８は被配信端末１００の登録完了画面受信処理ブロック、３１９は登録完了画面表示処理ブロックである。
【００１７】
図４は、本発明のテーブル部１３３の構造例を説明した図である。
図４において、４００はキーワード格納領域、４０１は電子メールのアドレス格納領域を示す。
【００１８】
図５は、電子メールの適切な被配信端末へ送信を希望する送信端末１１０が送信する電子メールの例で、送信端末１１０の表示部１１１に表示される画面を示したものである。
図５において、５００は電子メールの送信フォーム、５０１は電子メールのタイトル(件名)、５０２は電子メールの宛先、５０３は電子メールの本文、５０４，５０６，５０８はキーワードタグ、５０５，５０７，５０９はキーワードを示す。
【００１９】
図６は、本発明による電子メール配信システムの処理フローを示したものである。    
図６において、６００は送信端末１１０(図１）の電子メール送信処理ブロックで、６０１は送信端末１１０から送信された電子メールを受信する電子メールメールサーバ１３０(図１)の電子メール受信処理ブロックである。
図６において、６０２は電子メールのタイトル５０１(図５)からキーワード５０５(図５)とキーワードタグ５０４を抽出する電子メールタイトルのキーワード抽出処理ブロックで、６０３は電子メールのタイトル５０１からキーワードタグ５０４を除去する電子メールのタイトルのタグ除去処理ブロックである。
図６において、６０４は電子メールの本文５０３(図５)からキーワード５０７，５０９とキーワードタグ５０６，５０８を抽出する電子メール本文のキーワード抽出処理ブロックで、６０５は電子メールの本文からキーワードタグ５０６，５０８を除去する電子メールの本文のタグ除去処理ブロックである。
図６において、６０６は重複キーワードの有又は無を検出する重複キーワード検出処理ブロックで、６０７は重複するキーワードを一つだけ残して他は削除する重複キーワード削除処理ブロックである。
【００２０】
図６において、６０８はテーブル部１３３(図１)からアドレスを検索するアドレス検索処理ブロック、６０９は重複アドレスの有又は無を検出する重複アドレス検出処理ブロック、６１０は重複アドレスを一つだけ残して削除する重複アドレス削除処理ブロックである。
図６において、６１１は電子メールアドレスを被配信端末１００（図１）の電子メールアドレスとして設定する宛先設定処理ブロック、６１２は宛先の属性をＢＢＣ（Blind Carbon Copy）に設定する宛先属性変更処理ブロックである、６１３はメールサーバ１３０の電子メール送信部１３８(図１)から被配信端末１００に電子メールを配信する電子メール配信処理ブロックである。
図６において、６１４は電子メールの宛先として設定したアドレスの合計数を取得する宛先数取得処理ブロック、６１５は送信端末１１０に対して送信する配信結果報告メールを作成する配信結果報告メール作成処理ブロック、６１６は送信端末１１０に対して送信する配信結果報告メール送信処理ブロック、６１７はメールサーバ１３０からの電子メールを送信端末１１０が受信する送信端末１１０の配信結果報告メール受信処理ブロックを示す。
【００２１】
次に、図１、図２及び図５に基づき、電子メールの本文５０３及び当該電子メールのタイトル５０１から抽出したキーワードに対応付けされた配信先電子メールアドレスに対して電子メールを配信するシステムの作用について説明する。
被配信端末１００は、表示部１０１に表示される画面を用いて入力装置１０２の操作により、メールサーバ１３０の通信制御部（Webサーバ）１３１にアクセスする。アクセスを検知した通信制御部１３１は、ユーザ認証を行い、被配信情報登録部１３２により、テーブル部１３３に記憶してある電子メールアドレスと対応付けられているキーワードのリストを取得し、被配信端末１００の表示部１０１に図２のキーワード登録画面を応答表示する。
被配信端末１００は、図２のキーワード登録画面が表示されている表示部１０１のキーワード設定領域２０１に配信を希望する電子メールに関するキーワードを登録（新規登録は勿論、変更又は削除の登録を含む）して、登録ボタン２０２を押してメールサーバ１３０に登録要求をする。
【００２２】
他方の送信端末１１０は、表示部１１１に表示される電子メールの送信フォーム画面に基づきキーボードやマウス等の入力装置１１２を用いて、送信する電子メールを作成する(図５)。送信する電子メール作成後、図５に示すような電子メールのタイトル５０１や電子メールの本文５０３の中で関心のあるアピールしたい箇所（キーワード５０５、５０７、５０９）を電子メール配信システムが規定するキーワードタグ５０４、５０６、５０８で囲む。そして、電子メールの宛先５０２には電子メール配信システムの電子メールアドレスを指定し(例えば、mail-delivery@ZZZ.co.jp）、電子メールを送信する。
送信端末１１０からの電子メールを受信するメールサーバ１３０のメール受信部１３４は、キーワード抽出部１３５により、受信した電子メールの本文５０３及び電子メールのタイトル５０１の内容を字句解析し、キーワードタグ５０４，５０６，５０８及びこれらのキーワードタグで囲まれているキーワード５０５，５０７，５０９を抽出し、電子メールのタイトルと電子メールの本文からキーワードタグ５０５，５０７，５０９のみを取り除く。
抽出したキーワード５０５，５０７，５０９をアドレス検索部１３６の入力として、テーブル部１３３に格納してあるキーワードと対応付けられている配信先電子メールアドレスのリストを取得する。取得した配信先電子メールアドレスのリストを、アドレス変換部１３７により送信端末１１０から受信した電子メールの宛先として新たに設定し、電子メール送信部１３８で電子メールの配信を行う。
【００２３】
次に、図１、図３及び図４に基づき、被配信端末１００がキーワードを登録するときの処理フローについて説明する。
被配信端末１００のアカウント情報送信３００をメールサーバ１３０が検知すると、アカウント情報送信処理ブロック３０１、アカウント情報受信処理ブロック３０２を実行することにより、被配信端末１００の認証を行う。
認証に失敗した場合、エラー画面作成処理ブロック３０３、エラー画面送信処理ブロック３０４、エラー画面受信処理ブロック３０５、エラー画面表示処理ブロック３０６を実行することにより、エラー画面を被配信端末１００の表示部１０１に表示する。
認証に成功した場合は、テーブル部検索処理ブロック３０７を実行することにより、図４のキーワード格納領域４００、電子メールアドレス格納領域４０１のように構成したテーブル部１３３から電子メールアドレスと対応付けらているキーワードを検索する。
検索して得られる結果は、キーワード登録画面作成処理ブロック３０８、キーワード登録画面送信処理ブロック３０９、キーワード登録画面受信処理ブロック３１０、キーワード登録画面表示処理ブロック３１１を実行することにより、キーワード登録画面として被配信端末１００の表示部１０１に表示する。
【００２４】
被配信端末１００はキーワードの登録（新規、変更又は削除の登録）３１２を行い、登録ボタン選択処理ブロック３１３、登録ボタン選択受信処理ブロック３１４、テ−ブル部登録処理ブロック３１５を実行することにより、テーブル部１３３（キーワード格納領域４００、電子メールアドレス格納領域４０１）に内容を登録する。
登録完了後、登録完了画面作成処理ブロック３１６、登録完了画面送信処理ブロック３１７、登録完了画面受信処理ブロック３１８、登録完了画面表示処理ブロック３１９を実行することにより、登録完了画面を被配信端末１００の表示部１０１に表示する。
【００２５】
次に、図１、図４、図５及び図６に基づき、送信端末１１０が電子メール配信システムにより複数の配信先電子メールアドレスに対して電子メールを配信する場合の処理フローについて説明する。
送信端末１１０は、送信する電子メールのタイトル５０１や電子メールの本文５０３の中でアピールしたい箇所であるキーワード５０５，５０７，５０９を電子メール配信システムが規定するキーワードタグ５０４，５０６，５０８で囲み、メールサーバ１３０に送信する。
電子メールを受信したメールサーバ１３０では、電子メールのタイトルのキーワード抽出処理ブロック６０２、電子メールのタイトルのタグ除去処理ブロック６０３、電子メール本文のキーワード抽出ブロック６０４、電子メール本文のタグ除去処理ブロック６０５を実行することにより、受信した電子メールの内容及び当該電子メールのタイトルを字句解析し、キーワードタグで囲まれているキーワードを抽出し、電子メールの本文及び電子メールのタイトルの内容からキーワードタグ部分５０４、５０６，５０８を取り除く。
抽出したキーワード５０５，５０７、５０９のリストは、重複キーワード検出処理ブロック６０６、重複キーワード削除処理ブロック６０７を実行することによって、重複のないリストに変換する。
【００２６】
アドレス検索処理ブロック６０８を実行することにより、図４のキーワード格納領域400、電子メールアドレス格納領域４０１のように構成したテーブル部１３３からキーワードに対応付けられている配信先電子メールアドレスのリストを取得する。取得した配信先電子メールアドレスのリストは、重複アドレス検出処理ブロック６０９、重複アドレス削除処理ブロック６１０を実行することによって、重複のないリストに変換する。
電子メールアドレスのリストを、宛先設定処理ブロック６１１、宛先属性変更処理ブロック６１２を実行することによって、送信端末１１０から受信した電子メールの宛先として新規に再設定し、電子メール配信処理ブロック６１３を実行することによって、複数の被配信端末１００に対して電子メールの配信を行う。
【００２７】
電子メールの配信完了後、宛先数取得処理ブロック６１４、配信結果報告メール作成処理ブロック６１５、配信結果報告メール送信処理ブロック６１６、配信結果報告メール受信処理ブロック６１７を実行することによって、配信先電子メールアドレスのリストに含まれる電子メールアドレスの個数を算出し、電子メールの配信先の合計数と、配信完了を通知する内容の電子メールを送信端末１１０に送信する。
【図面の簡単な説明】
【００２８】
【図１】電子メール配信システムの全体構成図
【図２】被配信端末の表示部に表示するキーワード登録画面
【図３】キーワードの登録の処理フロー図
【図４】メールサーバのテーブル部の構造説明図
【図５】送信端末の表示部に表示される電子メール画面
【図６】電子メール配信システムの処理フロー図
【符号の説明】
【００２９】
１００…被配信端末、１０１…表示部、１０２…入力装置、１１０…送信端末
１１１…表示部、１１２…入力装置、１２０…ネットワーク、１３０…メールサーバ
１３１…通信制御部、１３２…被配信情報登録部、１３３…テーブル部
１３４…電子メール受信部、１３５…キーワード抽出部、１３６…アドレス検索部
１３７…アドレス変換部、１３８…電子メール送信部、
２００…電子メールアドレス設定領域、２０１…キーワード設定領域
２０２…設定登録ボタン、３００…アカウント情報送信処理ブロック
３０１…アカウント情報受信処理ブロック、３０２…ユーザ認証処理ブロック
３０３…エラー画面作成処理ブロック、３０４…エラー画面送信処理ブロック
３０５…エラー画面受信処理ブロック、３０６…エラー画面表示処理ブロック
３０７…テーブル部検索処理ブロック、３０８…キーワード登録画面作成処理ブロック
３０９…キーワード登録画面送信処理ブロック
３１０…キーワード登録画面受信処理ブロック
３１１…キーワード登録画面表示処理ブロック
３１２…キーワード登録ブロック、３１３…登録ボタン選択処理ブロック
３１４…登録ボタン選択受信処理ブロック、３１５…テーブル部登録処理ブロック
３１６…登録完了画面作成処理ブロック、３１７…登録完了画面送信処理ブロック
３１８…登録完了画面表示処理ブロック、４００…キーワード格納領域
４０１…電子メールのアドレス格納領域、５００…電子メールの送信フォーム
５０１…電子メールのタイトル、５０２…電子メールの宛先
５０３…電子メールの本文、５０４…キーワードタグ、５０５…キーワード
５０６…キーワードタグ、５０７…キーワード、５０８…キーワードタグ
５０９…キーワード、６００…電子メール送信処理ブロック
６０１…電子メール受信処理ブロック
６０２…メールタイトルのキーワード抽出処理ブロック
６０３…メールタイトルのタグ除去処理ブロック
６０４…メール本文のキーワード抽出処理ブロック
６０５…メール本文のタグ除去処理ブロック、６０６…重複キーワード検出処理ブロック
６０７…重複キーワード削除処理ブロック、６０８…アドレス検索処理ブロック
６０９…重複アドレス検出処理ブロック、６１０…重複アドレス削除処理ブロック
６１１…宛先設定処理ブロック、６１２…宛先属性変更処理ブロック
６１３…電子メール配信処理ブロック、６１４…宛先数取得処理ブロック
６１５…配信結果報告メール作成処理ブロック
６１６…配信結果報告メール送信処理ブロック
６１７…配信結果報告メール受信処理ブロック
【図１】
2007173978.tif 000003
【図２】
2007173978.tif 000004
【図３】
2007173978.tif 000005
【図４】
2007173978.tif 000006
【図５】
2007173978.tif 000007
【図６】
2007173978.tif 000008